【手続補正書】
【提出日】平成20年3月5日(2008.3.5)
【手続補正１】
【補正対象書類名】明細書
【補正対象項目名】特許請求の範囲
【補正方法】変更
【補正の内容】
【特許請求の範囲】
【請求項１】  患者の骨に移植を施す整形外科移植片システムであって、このシステムは、
骨内部分を有している整形外科移植片と、
少なくとも１つの骨ネジとを備えており、
骨内部分は、
第１側と、
第２側と、
少なくとも１つのネジ孔とを有しており、
ネジ孔は内側にネジを切った部分を有しており、
骨ネジは、
ネジ孔の内側にネジを切った部分と螺合する外側にネジを切った前端と、
骨に嵌合する外側にネジを切ったヘッドとを有している、整形外科移植片システム。
【請求項２】  ネジの前記前端を前記内側にネジを切った部分に十分に螺合させてネジを移植片にロックさせるようにした、請求項１に記載の整形外科移植片システム。
【請求項３】  前記前端以外のネジの一部と、ネジ孔の前記内側にネジを切った部分以外の移植片の一部とを相互作用させて、ネジを移植片にロックさせるようにした、請求項２に記載の整形外科移植片システム。
【請求項４】  近皮質、遠皮質、および、骨内部分から成る骨について利用することを目的とし、前記外側にネジを切ったヘッドを骨の近皮質と嵌合させることにより、前記整形外科移植片を近皮質の内面に密着して骨に接続するようにした、請求項１に記載の整形外科移植片システム。
【請求項５】  前記ネジ孔は、移植片の骨内部分の前記第１側から前記第２側まで延在している貫通孔であり、ネジの前記前端は骨の近皮質と嵌合する、請求項４に記載の整形外科移植片システム。
【請求項６】  前記骨ネジは、前記前端と前記ヘッドの間に位置する遷移部を更に有しており、遷移部には自己タッピング溝が設けられている、請求項１に記載の整形外科移植片システム。
【請求項７】  ネジの前記前端のネジ山は、前記ネジヘッドのネジ山と概ね同じピッチを有している、請求項１に記載の整形外科移植片システム。
【請求項８】  移植片にロックするガイド部を更に備えており、また、ガイド部が移植片にロックされると移植片の骨内部分のネジ孔と概ね同軸となるガイド孔を有している、請求項１に記載の整形外科移植片システム。
【請求項９】  患者の骨に移植を施す整形外科移植片システムであって、このシステムは、
骨内部分を有している整形外科移植片と、
少なくとも１つの骨ネジとを備えており、
骨内部分は、
第１側と、
第２側と、
少なくとも１つのネジ孔とを有しており、
ネジ孔は、
内側にネジを切った部分と、
入口開口部から第２側に向かって径が減少してゆく円錐状に先細りになった中間孔部と、
中間孔部と第２側の間に位置する内側にネジを切った部分とを有しており、
骨ネジは、
ネジ孔の内側にネジを切った部分と螺合する外側にネジを切った前端と、
骨に嵌合する外側にネジを切ったヘッドと、
前端とヘッドの間の円錐状に先細りになった中間ネジ部とを有しており、
前端は第１のネジ径を有しており、
ヘッドは第２のネジ径を有しており、
中間ネジ部はヘッドの付近の大きい径から前端の付近の小さい径まで先細りになっている、整形外科移植片システム。
【請求項１０】  前記第２のネジ径は前記中間ネジ部の前記大きい径よりも長く、前記第１のネジ径は中間ネジ部の大きい径よりも短い、請求項９に記載の整形外科移植片システム。
【請求項１１】  骨ネジの前記前端は、ネジが骨内部分に挿入されると、ネジ孔の前記内側にネジを切った部分と螺合し、この螺合により、ネジが前進させられるにつれて、中間ネジ部が中間孔部と螺合することにより、ネジを整形外科移植片にロックさせるようにした、請求項９に記載の整形外科移植片システム。
【請求項１２】  近皮質、遠皮質、および、骨内部分から成る骨について利用することを目的とし、前記外側にネジを切ったヘッドを骨の近皮質と嵌合させることにより、前記整形外科移植片を近皮質の内面に密着して骨に接続するようにした、請求項１１に記載の整形外科移植片システム。
【請求項１３】  前記ネジ孔は、前記骨内部分の前記第２側まで延在していないめくら孔である、請求項９に記載の整形外科移植片システム。
【請求項１４】  前記ネジ孔は、前記骨内部分の前記第２側まで延在している貫通孔である、請求項９に記載の整形外科移植片システム。
【請求項１５】  ネジの前記前端は骨の遠皮質と嵌合している、請求項１４に記載の整形外科移植片システム。
【請求項１６】  前記中間ネジ部は約１度から約15度の間の半円錐角を有している、請求項９に記載の整形外科移植片システム。
【請求項１７】  前記中間ネジ部は約３度から約８度の間の半円錐角を有している、請求項９に記載の整形外科移植片システム。
【請求項１８】  前記骨ネジは、前記中間ネジ部と前記ヘッドの間に位置する遷移部を更に有しており、遷移部には自己タッピング溝が設けられている、請求項９に記載の整形外科移植片システム。
【請求項１９】  ネジの前記前端のネジ山は、前記ネジヘッドのネジ山と概ね同じピッチを有している、請求項９に記載の整形外科移植片システム。
【請求項２０】  移植片にロックするガイド部を更に備えており、また、ガイド部が移植片にロックされると前記骨内部分のネジ孔と概ね同軸となるガイド孔を有している、請求項９に記載の整形外科移植片システム。
【請求項２１】  人工股関節は、
髄内茎部を有している大腿構成要素と、
少なくとも１つの骨ネジとを備えており、
髄内部分は、
内側と、
外側と、
少なくとも１つのネジ孔とを有しており、
ネジ孔は内側にネジを切った部分を有しており、
骨ネジは、
ネジ孔の内側にネジを切った部分と螺合する外側にネジを切った前端と、
大腿骨の内側皮質に嵌合する外側にネジを切ったヘッドとを有しており、
前端は第１のネジ径を有しており、
ヘッドは第２のネジ径を有している、整形外科移植片システム。
【請求項２２】  前記ネジ孔は、
前記内側の入口開口部と、
入口開口部から前記外側に向けて径が減少していく円錐状に先細りになった中間孔部とを更に備えており、
ネジ孔の前記内側にネジを切った部分は中間孔部と前記外側の間に位置しており、
前記骨ネジは、前記ヘッドと前記前端の間に円錐状に先細りになった中間ネジ部を更に備えており、中間ネジ部はヘッドの付近の大きい径から前端の付近の小さい径まで先細りになっている、請求項２１に記載の人工股関節。
【請求項２３】  前記第２のネジ径は前記中間ネジ部の前記大きい径よりも長く、前記第１のネジ径は中間ネジ部の大きい径よりも短い、請求項２２に記載の人工股関節。
【請求項２４】  骨ネジの前記前端は、ネジが髄内部分に挿入されると、ネジ孔の前記内側にネジを切った部分と螺合し、この螺合により、ネジが前進させられるにつれて、中間ネジ部が中間孔部と螺合することにより、ネジを大腿構成要素にロックさせるようにした、請求項２２に記載の人工股関節。
【請求項２５】  内側皮質、外側皮質、および、髄内領域から成る大腿骨について利用することを目的とし、骨ネジの前記外側にネジを切ったヘッドを骨の内側皮質と嵌合させることにより、前記大腿構成要素を内側皮質の内面に密着して大腿骨に接続するようにした、請求項２４に記載の人工股関節。
【請求項２６】  前記ネジ孔は、前記茎部の前記外側まで延在していないめくら孔である、請求項２２に記載の人工股関節。
【請求項２７】  前記ネジ孔は、前記茎部の前記内側まで延在している貫通孔である、請求項２２に記載の人工股関節。
【請求項２８】  前記中間ネジ部は約１度から約15度の間の半円錐角を有している、請求項２２に記載の人工股関節。
【請求項２９】  前記中間ネジ部は約３度から約８度の間の半円錐角を有している、請求項２２に記載の人工股関節。
【請求項３０】  前記骨ネジは、前記中間ネジ部と前記ヘッドの間に位置する遷移部を更に有しており、遷移部には自己タッピング溝が設けられている、請求項２２に記載の人工股関節。
【請求項３１】  ネジの前記前端のネジ山は、前記ネジヘッドのネジ山と概ね同じピッチを有している、請求２２に記載の人工股関節。
【請求項３２】  前記大腿構成要素にロックするガイド部を更に備えており、また、ガイド部が大腿構成要素にロックされると前記茎部のネジ孔と概ね同軸となるガイド孔を有している、請求項２２に記載の人工股関節。